(57)【要約】    【課題】  セキュリティおよび美化の向上を促進できる印刷システムを提供する。    【解決手段】  ホストコンピュータ１０６は、印刷データに自装置のＩＰアドレスを付加し（Ｓ１）、ネットワーク１０５を介してその印刷データを印刷装置１０１に送信する（Ｓ２）。印刷装置１０１は、受信した印刷データからＩＰアドレスを取り出し（Ｓ１１）、印刷直後に、用紙に埋め込まれた無線タグにこのＩＰアドレスを書き込む（Ｓ１３）。印刷済みの用紙が印刷装置１０１の排紙トレイに排出されると、この用紙の無線タグからＩＰアドレスを読み取り（Ｓ２１）、読み取ったＩＰアドレスを解析し（Ｓ２２）、ＩＰアドレスに対応するホストコンピュータ１０６にメッセージを送信する（Ｓ２３）。ユーザはホストコンピュータ１０６でそのメッセージを読むことで、排紙トレイに印刷済みの用紙が溜まっていることを知る。【選択図】      図１
2006095751.tif 000002
【特許請求の範囲】
【請求項１】
情報処理装置および印刷装置を備え、前記印刷装置が前記情報処理装置から送信された印刷データを印刷する印刷システムであって、
前記情報処理装置の固有情報を印刷データに付加する付加手段と、
前記付加された固有情報を取り出す取出手段と、
前記印刷データの印刷に際し、用紙に付属した情報記録媒体に、前記取り出した固有情報を書き込む書込手段と、
前記印刷装置の排紙部に排出された、印刷済み用紙に付属した情報記録媒体から前記固有情報を読み取る読取手段と、
前記読み取った固有情報に対応する前記情報処理装置にメッセージを通知する通知手段とを備えたことを特徴とする印刷システム。
【請求項２】
前記取り出した固有情報を記憶する固有情報記憶手段を備え、前記書込手段は、前記記憶された固有情報を書き込むことを特徴とする請求項１記載の印刷システム。
【請求項３】
前記書込手段は、前記印刷データを印刷すると同時に、前記固有情報を書き込むことを特徴とする請求項１記載の印刷システム。
【請求項４】
複数の印刷装置のうち、特定の印刷装置の排紙部に印刷済み用紙が排出されたままになっている場合、前記特定の印刷装置は、他の印刷装置に対し、前記印刷済み用紙に付属する情報記録媒体から読み取られた固有情報に対応する印刷データを以前に印刷したか否かを問い合わせる問合せ手段を備えたことを特徴とする請求項１記載の印刷システム。
【請求項５】
印刷装置に印刷データを送信する情報処理装置であって、
前記情報処理装置の固有情報を印刷データに付加する付加手段と、
前記固有情報が付加された印刷データを前記印刷装置に送信する送信手段と、
前記印刷装置から排紙部に印刷済み用紙が排出された旨のメッセージを受信して表示する表示手段とを備えたことを特徴とする情報処理装置。
【請求項６】
情報処理装置から送信された印刷データを印刷する印刷装置であって、
前記情報処理装置から送信された印刷データを受信する受信手段と、
前記受信した印刷データに付加された固有情報を取り出す取出手段と、
前記印刷データの印刷に際し、用紙に付属した情報記録媒体に、前記取り出した固有情報を書き込む書込手段と、
前記印刷装置の排紙部に排出された、印刷済み用紙に付属した情報記録媒体から前記固有情報を読み取る読取手段と、
前記読み取った固有情報に対応する前記情報処理装置にメッセージを通知する通知手段とを備えたことを特徴とする印刷装置。
【請求項７】
印刷装置が情報処理装置から送信された印刷データを印刷する際の印刷動作を制御する印刷制御方法であって、
前記情報処理装置の固有情報を印刷データに付加する付加ステップと、
前記付加された固有情報を取り出す取出ステップと、
前記印刷データの印刷に際し、用紙に付属した情報記録媒体に、前記取り出した固有情報を書き込む書込ステップと、
前記印刷装置の排紙部に排出された、印刷済み用紙に付属した情報記録媒体から前記固有情報を読み取る読取ステップと、
前記読み取った固有情報に対応する前記情報処理装置にメッセージを通知する通知ステップとを有することを特徴とする印刷制御方法。
【請求項８】
請求項１乃至４のいずれかに記載の印刷システムを実現するためのコンピュータ読み取り可能なプログラムコードを有するプログラム。
【請求項９】
請求項８記載のプログラムを格納した記憶媒体。
【発明の詳細な説明】
【技術分野】
【０００１】
本発明は、情報処理装置から送信された印刷データを印刷する印刷システム、印刷装置、情報処理装置および印刷制御方法に関する。
【背景技術】
【０００２】
従来、ネットワークを介してホストコンピュータおよびプリンタが接続され、プリンタは、ホストコンピュータから送信される印刷情報にしたがって、文字や図形、ラスタイメージ等の情報を処理して印刷を行い、印刷済みの用紙を排紙トレイに排出する印刷システムが知られている。このような印刷システムでは、オフィス等にプリンタが設置された場合、その排紙トレイは排出された印刷済み用紙であふれてしまうことがあった。
【０００３】
したがって、プリンタの排紙トレイに重要書類である印刷済み用紙が長時間放置されると、セキュリテイを維持できなくなるおそれがあった。また、排紙トレイに印刷済み用紙があふれた状態は、オフィス等の美化を損ねていた。
【０００４】
そこで、複数の排紙ビンのそれぞれをユーザに割り当てることにより、その排紙ビンに出力用紙が放置されていた場合に該当ユーザにその旨を通知することが提案されている（特許文献１）。
【特許文献１】特開平８−４４２５５号公報
【発明の開示】
【発明が解決しようとする課題】
【０００５】
しかしながら、上記特許文献１では、排紙ビンをユーザに割り当てる必要があるので、プリンタを使用できるユーザの数が限られるなどの不都合があった。
【０００６】
そこで、本発明は、排紙部に排出された印刷済み用紙が早期に取り除かれることを期待でき、オフィス等におけるセキュリティおよび美化の向上を促進でき、かつ、ユーザ１人に割り当てられた排紙ビンを使用するなど、使用形態に制限を設けることのない印刷システム、印刷装置、情報処理装置および印刷制御方法を提供することを目的とする。
【課題を解決するための手段】
【０００７】
上記目的を達成するために、本発明の印刷システムは、情報処理装置および印刷装置を備え、前記印刷装置が前記情報処理装置から送信された印刷データを印刷する印刷システムであって、前記情報処理装置の固有情報を印刷データに付加する付加手段と、前記付加された固有情報を取り出す取出手段と、前記印刷データの印刷に際し、用紙に付属した情報記録媒体に、前記取り出した固有情報を書き込む書込手段と、前記印刷装置の排紙部に排出された、印刷済み用紙に付属した情報記録媒体から前記固有情報を読み取る読取手段と、前記読み取った固有情報に対応する前記情報処理装置にメッセージを通知する通知手段とを備えたことを特徴とする。
【０００８】
本発明の情報処理装置は、印刷装置に印刷データを送信する情報処理装置であって、前記情報処理装置の固有情報を印刷データに付加する付加手段と、前記固有情報が付加された印刷データを前記印刷装置に送信する送信手段と、前記印刷装置から排紙部に印刷済み用紙が排出された旨のメッセージを受信して表示する表示手段とを備えたことを特徴とする。
【０００９】
本発明の印刷装置は、情報処理装置から送信された印刷データを印刷する印刷装置であって、前記情報処理装置から送信された印刷データを受信する受信手段と、前記受信した印刷データに付加された固有情報を取り出す取出手段と、前記印刷データの印刷に際し、用紙に付属した情報記録媒体に、前記取り出した固有情報を書き込む書込手段と、前記印刷装置の排紙部に排出された、印刷済み用紙に付属した情報記録媒体から前記固有情報を読み取る読取手段と、前記読み取った固有情報に対応する前記情報処理装置にメッセージを通知する通知手段とを備えたことを特徴とする。
【００１０】
本発明の印刷制御方法は、情報処理装置から送信された印刷データを印刷装置が印刷する際の印刷動作を制御する印刷制御方法であって、前記情報処理装置の固有情報を印刷データに付加する付加ステップと、前記付加された固有情報を取り出す取出ステップと、前記印刷データの印刷に際し、用紙に付属した情報記録媒体に、前記取り出した固有情報を書き込む書込ステップと、前記印刷装置の排紙部に排出された、印刷済み用紙に付属した情報記録媒体から前記固有情報を読み取る読取ステップと、前記読み取った固有情報に対応する前記情報処理装置にメッセージを通知する通知ステップとを有することを特徴とする。
【発明の効果】
【００１１】
本発明の請求項１に係る印刷システムによれば、印刷装置の排紙部に排出された、印刷済み用紙に付属した情報記録媒体から固有情報を読み取り、読み取った固有情報に対応する情報処理装置にメッセージを通知するので、排紙部に排出された印刷済み用紙が早期に取り除かれることを期待でき、オフィス等におけるセキュリティおよび美化の向上を促進できる。しかも、ユーザ１人に割り当てられた排紙ビンを使用するなど、使用形態に制限を設けることがなくなる。請求項２に係る印刷システムによれば、固有情報を管理することができる。請求項３に係る印刷システムによれば、印刷済み用紙だけに固有情報を書き込むことができる。請求項４に係る印刷システムによれば、どの印刷装置で印刷したかなど、ユーザの動向を把握して対処できる。
【発明を実施するための最良の形態】
【００１２】
本発明の印刷システム、印刷装置、情報処理装置および印刷制御方法の実施の形態について図面を参照しながら説明する。
【００１３】
［第１の実施形態］
図１は第１の実施形態における印刷システムの構成を示す図である。この印刷システムは、ネットワーク（有線ＬＡＮ）１０５を介して接続される印刷装置１０１、１０３およびホストコンピュータ１０６を有する。
【００１４】
印刷装置１０１には、後述するように印刷済み用紙に埋め込まれた無線タグチップ（図示せず）にデータを書き込む無線タグチップライタ１０２、および印刷装置１０１の排紙トレイに溜まっている印刷済み用紙の無線タグチップから情報を読み取る無線タグチップリーダ１０７が設けられている。ここで、無線タグチップ（ＲＦＩＤ）は、メモリ、通信回路および超小型アンテナを内蔵するものであり、リーダ／ライタによってその情報の読み書きが行われる。
【００１５】
印刷装置１０１と同一のネットワーク１０５に接続される印刷装置１０３には、印刷装置１０１と同様、印刷済み用紙に埋め込まれた無線タグチップにデータを書き込む無線タグチップライタ１０４、および印刷装置１０３の排紙トレイに溜まっている印刷済み用紙の無線タグチップから情報を読み取る無線タグチップリーダ１０８が設けられている。また、ホストコンピュータ１０６は、ネットワーク１０５を介して印刷装置１０１、１０３に印刷データを送信する。尚、図１では、２台の印刷装置と１台のホストコンピュータがネットワークに接続されている場合を示したが、印刷装置およびホストコンピュータの数は特に限定されず、任意の数でよい。
【００１６】
図２は印刷装置１０１内の画像処理制御部の構成を示す図である。印刷装置１０１には、画像処理制御部５００が設けられている。画像処理制御部５００は、ネットワーク１０５と接続される有線ＬＡＮ回路部５０６、画像処理制御部全体を制御したり、コマンドを解析したり、ＩＰアドレスを集計する制御部５０１、画像処理制御部内の内部バス５０５、画像処理制御部を制御するためのプログラムや送受信データや読み取ったＩＰアドレスを一時格納したり、画像処理制御部のステータス情報を予め記憶しておくメモリ部５０２、搬送系制御部（図示せず）とデータ信号のやり取りを行うエンジンインタフェース（Ｉ／Ｆ）部５０３、エンジンインタフェース部５０３のバス５０４、無線タグチップリーダ１０７あるいは無線タグチップライタ１０２の入出力を制御する無線タグチップリーダ／ライタインタフェース（Ｉ／Ｆ）部５０７、および無線タグチップリーダ／ライタインタフェースバス５０８から構成されている。ここで、メモリ部５０２は不揮発性メモリからなる。また、制御部５０１は中央演算処理装置（ＣＰＵ）から構成されており、メモリ部５０２に格納された、後述する処理プログラムを実行する。
【００１７】
図３はホストコンピュータ１０６における印刷データの送信処理手順を示すフローチャートである。この処理プログラムはホストコンピュータ内の記憶媒体に格納されており、ＣＰＵ（図示せず）によって実行される。本実施形態では、ホストコンピュータの固有情報としてＩＰアドレスが用いられている。まず、印刷ジョブである印刷データのフォーマットを作成した後、そのデータフォーマットに自装置のＩＰアドレスを付加して印刷データを生成する（ステップＳ１）。図４はＩＰアドレスが付加された印刷データのデータフォーマットを示す図である。このデータフォーマットは、ヘッダＡ、ヘッダＢおよびデータから構成されており、ヘッダＡには、ＩＰアドレスとして「１９２．１６８．１１．１」が付加されている。そして、ＩＰアドレスが付加された印刷データを印刷装置１０１に送信する（ステップＳ２）。この後、本処理を終了する。
【００１８】
図５は印刷装置１０１における印刷用紙に埋め込まれた無線タグチップにＩＰアドレスを書き込む動作処理手順を示すフローチャートである。この処理プログラムは、前述したように、画像処理制御部５００内のメモリ部５０２に格納されており、制御部５０１によって、印刷が行われた直後に実行される。まず、受信した印刷データから送信元のコンピュータ（本実施形態では、ホストコンピュータ１０６）のＩＰアドレスを取り出す（ステップＳ１１）。取り出したＩＰアドレスを画像処理制御部５００内のメモリ部５０２に一時記憶しておく（ステップＳ１２）。そして、無線タグチップが埋め込まれた用紙に印刷データを印刷した直後、無線タグチップライタ１０２により、メモリ部５０２に一時記憶されたホストコンピュータ１０６のＩＰアドレスを無線タグチップに書き込む（ステップＳ１３）。この後、本処理を終了する。
【００１９】
図６は印刷装置１０１からホストコンピュータ１０６にメッセージを送信する処理手順を示すフローチャートである。この処理プログラムは、前述したように、画像処理制御部５００内のメモリ部５０２に格納されており、制御部５０１によって実行される。まず、この処理では、印刷装置１０１の排紙トレイに溜まっている無線タグチップ付き印刷済み用紙からＩＰアドレスを読み出し、ホストコンピュータ１０６にメッセージを送信することが行われる。ここで、印刷装置１０１の排紙トレイに、無線タグチップ付きの印刷済み用紙が大量に溜まっている状況を想定する。また、印刷済み用紙の無線タグチップには、図５の処理によって印刷命令を出したホストコンピュータ１０６のＩＰアドレスが記憶されているものとする。
【００２０】
まず、印刷装置１０１の排紙トレイに設けられた無線タグチップリーダ１０７により、各印刷済み用紙の無線タグチップからＩＰアドレスを読み込む（ステップＳ２１）。読み取ったＩＰアドレスを印刷装置１０１内部で解析する（ステップＳ２２）。この解析の結果、各ＩＰアドレスに対応するホストコンピュータ１０６にメッセージを送信する（ステップＳ２３）。この後、本処理を終了する。ここで、ステップＳ２３で送信されるメッセージの内容としては、例えば、「印刷が終わりました。排紙トレイから印刷済み用紙を取り除いて下さい。」等が挙げられる。そして、ユーザはホストコンピュータ１０６でそのメッセージを読むことで、印刷装置１０１の排紙トレイに印刷済みの用紙が溜まっていることを知ることができる。
【００２１】
このように、第１の実施形態の印刷システムによれば、印刷済みの用紙が排紙トレイに溜まっていることをホストコンピュータに通知することで、早期に排紙トレイから印刷済みの用紙が取り除かれることを期待することができ、オフィス等におけるセキュリティおよび美化の向上を促進できる。
【００２２】
［第２の実施形態］
図７は第２の実施形態における印刷装置１０１からホストコンピュータ１０６にメッセージを送信する処理手順を示すフローチャートである。この処理プログラムは、前述したように、画像処理制御部５００内のメモリ部５０２に格納されており、制御部５０１によって実行される。前記第１の実施形態と同一のステップ処理については同一のステップ番号を付すことにする。
【００２３】
排紙トレイに溜まっている無線タグチップ付きの印刷済み用紙から読み取ったＩＰアドレスを、ステップＳ２２で印刷装置１０１内部で解析し、その解析結果を基に、各ＩＰアドレスに対応するホストコンピュータ１０６にメッセージを送信するとともに、読み取ったＩＰアドレスを他の印刷装置（ここでは、印刷装置１０３）に送信する（ステップＳ２３Ａ）。この後、本処理を終了する。
【００２４】
このＩＰアドレスの通知により、他の印刷装置（印刷装置１０３）は、自装置で印刷出力した印刷データのＩＰアドレス、自装置の排紙トレイに溜まっている印刷済み用紙に付加されているＩＰアドレス、および他の印刷装置（ここでは、印刷装置１０１）の排紙トレイに溜まっている印刷済み用紙に付加されているＩＰアドレスを集計して保持することが可能になる。これにより、各印刷装置は、自他装置の排紙トレイに滞留している印刷済み用紙に付加されているＩＰアドレスの情報を共有できる。
【００２５】
図８は複数の印刷装置間における問い合わせ処理手順を示すフローチャートである。この処理プログラムは、各印刷装置における画像処理制御部５００内のメモリ部５０２に格納されており、制御部５０１によって実行される。同図（Ａ）は問い合わせを依頼する側の処理であり、同図（Ｂ）は問い合わせに応答する側の処理である。
【００２６】
問い合わせを依頼する側の印刷装置１０１では、まず、他の印刷装置１０３に対し、印刷装置１０１の排紙トレイに溜まっている印刷済み用紙に付加されているＩＰアドレスを持つ印刷データを最近（例えば所定期間内に）印刷出力したか否かを問い合わせる（ステップＳ３１）。他の印刷装置１０３から問い合わせの結果を受信し（ステップＳ３２）、印刷出力していたか否かを判別する（ステップＳ３３）。印刷出力していなかった場合、そのまま本処理を終了し、一方、印刷出力していた場合、他の印刷装置１０３にメッセージを送信する（ステップＳ３４）。この後、本処理を終了する。このメッセージには、例えば、「印刷装置１０１の排紙トレイに、ユーザ（ホストコンピュータのＩＰアドレス）の印刷済み用紙が溜まっています。取り除いて下さい。」の内容が記述される。
【００２７】
一方、問い合わせに応答する側の印刷装置１０３では、まず、印刷装置１０１から問い合わせがあったか否かを判別する（ステップＳ４１）。問い合わせがなかった場合、そのまま本処理を終了し、一方、問い合わせがあった場合、問い合わせのＩＰアドレスを持つ印刷データを最近（例えば所定期間内に）印刷出力したか否かを確認する（ステップＳ４２）。確認の結果を印刷装置１０１に送信する（ステップＳ４３）。そして、印刷装置１０１からメッセージを受信したか否かを判別する（ステップＳ４４）。受信していない場合、そのまま本処理を終了し、一方、受信している場合、印刷装置１０３の操作パネルの表示部にメッセージの内容を表示する（ステップＳ４５）。この後、本処理を終了する。尚、３台以上の印刷装置がネットワークに接続されている場合であっても、同様に処理可能であることは勿論である。
【００２８】
このように、第２の実施形態の印刷システムによれば、印刷済みの用紙が排紙トレイに溜まったままになっていることを、他の印刷装置を使って、ユーザに喚起することができる。
【００２９】
尚、本発明は、上記実施形態の構成に限られるものではなく、特許請求の範囲で示した機能、または本実施形態の構成が持つ機能が達成できる構成であればどのようなものであっても適用可能である。
【００３０】
例えば、上記実施形態では、ホストコンピュータの固有情報としてＩＰアドレスを用いたが、ＭＡＣアドレスを用いてもよい。また、無線タグチップリーダによって、印刷装置の排紙トレイに溜まっている印刷済みの用紙に埋め込まれた無線タグチップを読み取るタイミングとして、５分毎などの周期を設定するようにしてもよい。また、排紙トレイに用紙の量のスレッショルドレベルを設定する機能を搭載し、この量を越えた場合、無線タグチップを読み取って集計するようにしてもよい。
【００３１】
また、排紙トレイに排出されたことに応じて、あるいは所定量以上排出されたことに応じて、メッセージを送信してもよい。この場合、排紙トレイに用紙検知センサを設け、用紙を検知する構成が必要となる。また、解析結果に応じてメッセージを通知するようにしてもよく、例えば、印刷済み用紙が排出されてからの経過時間が長い固有情報のホストコンピュータに対しては、警告に近いメッセージを通知すること、また、排出された印刷済み用紙を放置したままにしておくことを常習とする固有情報のユーザ（ホストコンピュータ）に対しては、警告に近いメッセージを通知すること等が挙げられる。
【００３２】
また、印刷装置にユーザが出力しておきながら、なかなか取りに来ない状況を想定し、同一のネットワーク（ＬＡＮ）１０５に接続されている他の印刷装置１０３やその他の印刷装置とやり取りしながら、ホストコンピュータへの通知を行うタイミングを計るようにしてもよい。例えば、ユーザが無線タグチップを搭載したカードを所持し、第１の印刷装置の無線タグチップリーダ１０７がユーザの無線タグチップと交信し、無線タグチップから読み取った固有情報を記憶するとともに、その固有情報が付加された印刷済み用紙が排紙トレイに溜まっている第２の印刷装置に対し、そのユーザが第１の印刷装置周辺に来たことを通知するようにしてもよい。その通知を受けた第２の印刷装置は、通知を受けた時点を考慮し、ホストコンピュータにメッセージを通知するタイミングを決定してもよい。このように、同一のＬＡＮ上に接続されている他の印刷装置は、ユーザが付近を通ったときにその固有情報を記憶しておき、なかなか取りに来ないユーザが、いつどの辺りにいたかを参考にし、ユーザのホストコンピュータに通知することが可能である。
【００３３】
また、印刷装置１０１とホストコンピュータ１０６の間、すなわちネットワーク１０５では、Ｅｔｈｅｒｎｅｔ（登録商標）などの有線ＬＡＮを想定しているが、無線ＬＡＮなどの他のネットワークに置き換えても同様の効果が得られる。
【００３４】
また、上記実施形態では、用紙に埋め込まれた無線タグチップにＩＰアドレスを書き込むタイミングを印字直後としているが、印刷装置１０１の紙カセットから給紙されて排紙トレイに排紙されるまでの間に書き込むタイミングを設定すればよく、同様の効果が得られる。
【００３５】
また、印刷装置としては、レーザ印刷装置の他、インクジェット印刷装置、熱転写印刷装置などであってもよい。さらに、カラー印刷を行う場合も、同様に適用可能である。また、コピー機能やＦＡＸ機能を持ったマルチファンクションデバイスであってもよい。さらに、２値出力の印刷装置に限らず、多値出力の印刷装置であってもよい。
【００３６】
また、排紙トレイに置かれてからの経過時間を計測し、この経過時間に応じてメッセージを繰り返し送信してもよく、そのメッセージ内容も経過時間に応じたものにしてもよい。また、ホストコンピュータに通知されると、ホストコンピュータから、それを使用していたユーザの携帯電話などにメールで通知するようにしてもよい。これにより、ユーザに確実にメッセージを伝えることができる。また、排紙トレイに印刷済み用紙が１枚排出される度に、メッセージを通知してもよいが、所定量蓄積された段階で、まとめて各印刷済み用紙に対応するホストコンピュータにメッセージを通知するようにしてもよい。
【００３７】
また、本発明の目的は、上記実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。この場合、記憶媒体から読み出されたプログラムコード自体が前述した実施形態の機能を実現することになり、そのプログラムコードを記憶した記憶媒体は本発明を構成することになる。
【００３８】
プログラムコードを供給するための記憶媒体としては、例えば、ＲＯＭ、フロッピー（登録商標）ディスク、ＰＣＭＣＩＡカードやコンパクトフラッシュ（登録商標）等のメモリカード、ハードディスク、マイクロＤＡＴ、光磁気ディスク、ＣＤ−ＲやＣＤ−ＲＷ等の光ディスク、ＤＶＤ等の相変化型光ディスク等で構成されてもよい。また、プログラムコードをネットワークを介してダウンロードしてもよい。
【００３９】
また、コンピュータが読み出したプログラムコードを実行することにより、上記実施形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれることはいうまでもない。
【００４０】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【図面の簡単な説明】
【００４１】
【図１】第１の実施形態における印刷システムの構成を示す図である。
【図２】印刷装置１０１内の画像処理制御部の構成を示す図である。
【図３】ホストコンピュータ１０６における印刷データの送信処理手順を示すフローチャートである。
【図４】ＩＰアドレスが付加された印刷データのデータフォーマットを示す図である。
【図５】印刷装置１０１における印刷用紙に埋め込まれた無線タグチップにＩＰアドレスを書き込む動作処理手順を示すフローチャートである。
【図６】印刷装置１０１からホストコンピュータ１０６にメッセージを送信する処理手順を示すフローチャートである。
【図７】第２の実施形態における印刷装置１０１からホストコンピュータ１０６にメッセージを送信する処理手順を示すフローチャートである。
【図８】複数の印刷装置間における問い合わせ処理手順を示すフローチャートである。
【符号の説明】
【００４２】
１０１、１０３  印刷装置
１０２、１０４  無線タグチップライタ
１０５  ネットワーク
１０６  ホストコンピュータ
１０７、１０８  無線タグチップリーダ
５０１  制御部
５０２  メモリ部
【図１】
2006095751.tif 000003
【図２】
2006095751.tif 000004
【図３】
2006095751.tif 000005
【図４】
2006095751.tif 000006
【図５】
2006095751.tif 000007
【図６】
2006095751.tif 000008
【図７】
2006095751.tif 000009
【図８】
2006095751.tif 000010